(57)【要約】【課題】  コードに足を引っ掛けるなどして不用意に外力が作用した際に、電気機器にその外力の伝播を防止するためのマグネット式テーブルタップを提供することである。【解決手段】  電気コード１の一端に磁着によって着脱自在なメスタイプのマグネット式コネクタ半体３と他端にプラグ２を設けてコード部分１００となし、別途タップ部分２００にこのコネクタと対を成すオスタイプのマグネット式コネクタ半体４と、コンセント部５、及び家具などへの固定具（図示なし）を設ける。タップ部分２００を家具などに固定し、コード部分１００を磁着により結合することでコンセント部に通電するマグネット式テーブルタップ。【選択図】図１
2014056802.tif 000002
【特許請求の範囲】
【請求項１】
電気コードの一端に磁着によって着脱自在なメスタイプのマグネット式コネクタ半体と他端にプラグを設けてコード部分となし、別途タップ部分にこのコネクタと対を成すオスタイプのマグネット式コネクタ半体とコンセント部を設け、内部で電気的に接続し、該オスタイプのマグネット式コネクタ半体にメスタイプのマグネット式コネクタ半体を磁着結合することによって、タップ部分とコード部分が電気的に導通接続するマグネット式テーブルタップ。
【請求項２】
タップ部分に家具などへの固定具を設けた請求項１のマグネット式テーブルタップ。
【発明の詳細な説明】
【技術分野】
【０００１】
本発明は、コード部分とタップ部分を、磁着によって着脱自在に結合、分離可能とするマグネット式テーブルタップに関するものである。
【背景技術】
【０００２】
従来から、電源コードに外力が作用した際の断線防止や、電源コードが接続されている電気機器の転倒防止、もしくは人の転倒を防止し安全に電気機器を使用するため、マグネット式コネクタを有するコンセントアダプタやコンセント、もしくは電気機器が存在し、例えば特許文献１及び２に開示されている。
【０００３】
特許文献１の従来例は、壁面などにあるコンセントと電気機器の電源コードプラグの間に介装され、磁着によって着脱自在にするマグネット式コネクタをコンセント側に追加するアダプタである。
【０００４】
また、特許文献２の従来例は、電気機器本体に、磁着によって電源コードを着脱自在にするコネクタの半体を設け、この半体と対をなすコネクタを電源コード端に設けた電気機器側のマグネット式コネクタである。
【先行技術文献】
【特許文献】
【０００５】
【特許文献１】特開２００８−２６９９４１号公報（図１、図６）
【特許文献２】特開２００２−５６９２９号公報（図１、図２）
【発明の概要】
【発明が解決しようとする課題】
【０００６】
上述の様なマグネット式コネクタを有するコンセントアダプタやコンセント、電気機器などは、断線防止や、電源コードが接続されている電気機器の転倒防止、もしくは人の転倒防止という面での効果は認められるものの、安全面で一部の不安を残していた。
【０００７】
電気機器などをテーブルなどで使用する際は、電源コードに足を引っ掛けてしまうなど、電源コードに不用意に外力が作用する可能性を予め想定して、電源コードをある程度弛ませて設置するのが一般的であり、これらマグネット式コネクタを有するコンセントアダプタやコンセント、もしくは電気機器の場合も同様である。
このような設置状況で電源コードに足を引っ掛けるなどして外力が作用した場合、弛ませてあった電源コードは、まず最初に外力の作用した方向に引っ張られ、次に電源コードを張り詰め、それでもなお外力が作用し続けた場合にマグネット式コネクタが分離するという順番になる。
【０００８】
コンセント側、電気機器側、いずれのマグネット式コネクタであっても、外力の作用した方向に電源コードが引っ張られたり、張り詰めた時点で、例えば食卓上の電源コード周辺の食器などを巻き込んで転倒、落下させてしまう可能性が高く、さらにコネクタが分離するまでの外力が作用すると、電気機器側のマグネット式コネクタの場合は、分離したコネクタがさらに大きく周辺物を巻きこみ、大きな被害になる可能性が高かった。  
【０００９】
比較的軽量なノートパソコンなどを使用する場合で、電源コードを不用意にひっかけるなどしてテーブル上などから落下しないよう、壁面のコンセントにマグネット式コネクタを有するコンセントアダプタを介装して電源を取るような場合、該コンセントアダプタとノートパソコンの間には、一般的にコンセントアダプタの側から順に、ACコード、ACアダプタ、DCコードが存在する。このような場合ノートパソコン側に近いDCコード部分を不用意に引っ掛けてしまうなどすると、ACアダプタが錘となってしまうことで、DCコード部分がACコード部分より先に張り詰め、コンセントアダプタのマグネット式コネクタが分離する以前にノートパソコンがテーブル上や机上から落下してしまう可能性があった。
【００１０】
本発明は上述の点に鑑みて為されたもので、その目的は、コードに足を引っ掛けるなどして不用意に外力が作用した際に、電気機器にその外力の伝播を防止するためのマグネット式テーブルタップを提供することである。
【課題を解決するための手段】
【００１１】
電気コード１の一端に磁着によって着脱自在なメスタイプのマグネット式コネクタ半体３と他端にプラグ２を設けてコード部分１００となし、別途タップ部分２００にこのコネクタと対を成すオスタイプのマグネット式コネクタ半体４と、コンセント部５、及び家具などへの固定具（図示なし）を設ける。タップ部分２００を家具などに固定し、オスタイプのマグネット式コネクタ半体４に、コード部分１００のメスタイプのマグネット式コネクタ半体３を磁着により結合することでコンセント部５に電気的に導通接続するマグネット式テーブルタップ。以上の構成からなるマグネット式テーブルタップを、電気機器と壁面のコンセントの間に介して使用する。
【発明の効果】
【００１２】
壁面のコンセントから離れた位置にあるテーブルなどで電気ホットプレートや、ノートパソコンなどの電気機器を使用する場合に、本発明を介して電源供給することで、本発明のコード部分に不用意に足を引っ掛けるなどして外力が作用しても、テーブルなどの安全な部分に固定されたタップ部分から、コード部分が分離することで、電気機器側に外力が伝播することを確実に防止し、電源コードの緊張やコネクタの分離による食卓上の食器などの転倒や落下を防止し、かつノートパソコンの様な軽量な電気機器の落下及び転倒防止が可能で、より安全に電気機器を使用できる。
【図面の簡単な説明】
【００１３】
【図１】本発明の構成斜視図
【図２】本発明をテーブルに取り付けた使用状態を示す斜視図
【発明を実施するための形態】
【００１４】
以下、本発明の実施の形態を説明する。本発明は図１に示すように、電気コード１の一端に壁面などのコンセントに挿抜するプラグ２と、他端に磁着によって着脱自在なメスタイプのマグネット式コネクタ半体３を設けたコード部分１００及び、これと対を成すオスタイプのマグネット式コネクタ半体４を設けたタップ部分２００から構成されている。
【００１５】
電気機器の電源プラグを直接挿抜するコンセント部５は、オスタイプのマグネット式コネクタ半体４と内部で電気的に接続しており、ひとつまたは複数を設ける。
このオスタイプのマグネット式コネクタ半体４に、メスタイプのマグネット式コネクタ半体３を磁着によって結合すると、タップ部分２００とコード部分１００が電気的に導通接続され通常のテーブルタップとして機能する。
【００１６】
更に、タップ部分２００にはテーブルや家具など電気機器の使用場所周辺の安全な場所に取り付け固定するための固定具を設ける。固定具の構成は、ねじ、クランプ、マグネット（及び粘着金属プレート）、両面粘着テープ、面ファスナー、別体のホルダーなどのバリエーションを用意する。（図示なし）
【００１７】
本発明を使用するときは、タップ部分２００を、図２に示すようにテーブルの天板下の幕板部６のような、電気コード１が緊張したり、メスタイプのマグネット式コネクタ半体３が分離したりしても安全な箇所に固定する。プラグ２を壁面のコンセント７に挿入し、他端のメスタイプのマグネット式コネクタ半体３を、オスタイプのマグネット式コネクタ半体４に磁着結合させると、タップ部分２００に通電し、テーブル上に置いた電気ホットプレート８から延びる電源コード先端のプラグ９をコンセント部分５に挿入することで給電を可能にする。
【００１８】
電気コード１に足を引っ掛けるなどして外力が作用した場合、固定されたタップ部分２００に設けたオスタイプのマグネット式コネクタ半体４に磁着しているメスタイプのマグネット式コネクタ半体３が分離し、タップ部分２００につないだ電気ホットプレート８から延びる電源コード１０は引っ張られることも、張り詰めることもなく、テーブル上の電源コード周辺の食器などの周辺物が転倒したり落下したりすることなく安全に使用できる。
【符号の説明】
【００１９】
１  電気コード
２  プラグ
３  着脱自在なメスタイプのマグネット式コネクタ半体
４  オスタイプのマグネット式コネクタ半体
５  コンセント部
１００  コード部分
２００  タップ部分
６  テーブルの天板下の幕板部
７  壁面のコンセント
８  電気ホットプレート
９  電源コード先端のプラグ
１０  電源コード
【図１】
2014056802.tif 000003
【図２】
2014056802.tif 000004